(57)【要約】      （修正有）【課題】ＷＡＮインターフェースとしてＡＤＳＬ回線を使用するＡＤＳＬ装置において、一般加入電話回線を使用しない利用者の場合、一般加入電話回線の音声帯域をＡＤＳＬ帯域に使用できるよう局側と端末側でＡＤＳＬ回線接続時にＴｒａｉｎｉｎｇ信号のやり取りで規定してＡＤＳＬ回線速度の向上を図る。【解決手段】ＡＤＳＬ接続開始時のハンドシェークの際、前記ＡＤＳＬモデム（１０）内部のメモリー（１３）にて記憶された設定情報に基づいて、前記一般加入電話の利用の可否を判断し、一般加入電話利用しない場合、ｂｉｎ番号１〜６を、回線接続速度を決定するためのトレーニング処理の対象とし、ｂｉｎ番号１から前記トレーニング処理を開始する。前記トレーニング処理にて、前記ｂｉｎ番号１〜６の各ｂｉｎに対し、積載可能なｂｉｔを回線状況から判断し、ＡＤＳＬモデム（１０）内部のＤＳＰ（１２）で演算処理を行い、前記回線接続速度を決定する。【選択図】図２
2007214875.tif 000002
【特許請求の範囲】
【請求項１】
（ａ）ＡＤＳＬモデムが、電源起動された時又は物理的に回線接続された時に、ＤＳＬＡＭとの間でＡＤＳＬ接続動作を開始するステップと、
（ｂ）ＡＤＳＬ接続開始時のハンドシェークの際、前記ＡＤＳＬモデム内部のメモリーにて記憶された設定情報に基づいて、前記一般加入電話の利用の可否を判断し、一般加入電話利用しない場合、ｂｉｎ番号１〜６を、回線接続速度を決定するためのトレーニング処理の対象とし、ｂｉｎ番号１から前記トレーニング処理を開始するステップと、
（ｃ）前記トレーニング処理にて、前記ｂｉｎ番号１〜６の各ｂｉｎに対し、積載可能なｂｉｔを回線状況から判断し、前記ＡＤＳＬモデム内部のＤＳＰで演算処理を行い、前記回線接続速度を決定するステップと
を具備する
ＡＤＳＬ接続方法。
【請求項２】
請求項１に記載のＡＤＳＬ接続方法において、
（ｄ）前記ｂｉｎ番号１〜６をＡＤＳＬの下り帯域に割り当てるステップ
を更に具備する
ＡＤＳＬ接続方法。
【請求項３】
請求項１に記載のＡＤＳＬ接続方法において、
（ｅ）前記ｂｉｎ番号１〜６をＡＤＳＬの上り帯域に割り当てるステップ
を更に具備する
ＡＤＳＬ接続方法。
【請求項４】
請求項１に記載のＡＤＳＬ接続方法において、
（ｆ）前記ｂｉｎ番号１〜６をＡＤＳＬの上り帯域又は下り帯域のどちらに割り当てるかを選択するステップ
を更に具備する
ＡＤＳＬ接続方法。
【請求項５】
ＡＤＳＬ回線を使用するＡＤＳＬ装置において、一般加入電話回線を使用しない場合、前記ＡＤＳＬ装置とＤＳＬＡＭとの間で前記ＡＤＳＬ回線接続時にトレーニング信号のやり取りで規定して、前記一般加入電話回線の音声帯域を前記ＡＤＳＬ回線の帯域に使用する
ＡＤＳＬ接続方法。
【請求項６】
請求項１乃至５のいずれか一項に記載のＡＤＳＬ接続方法を、コンピュータに実行させるためのプログラム。
【請求項７】
ＡＤＳＬ回線を使用するＡＤＳＬ装置において、
アナログ／デジタル変換を担当するＡＦＥ（Ａｎａｌｏｇ  Ｆｒｏｎｔ  Ｅｎｄ）と、
デジタルデータをアナログ信号として送出するための演算処理を担当するＤＳＰ（Ｄｉｇｉｔａｌ  Ｓｉｇｎａｌ  Ｐｒｏｃｅｓｓｏｒ）と、
前記ＡＤＳＬ回線の接続情報、及び一般加入電話回線を使用する／しないの設定情報を記憶するメモリーと、
ユーザ端末と前記ＤＳＰのデータ変換をするネットワーク回路ブロックと、
電話機と前記ＤＳＰとのデータ変換をするＶｏＩＰ回路ブロックと、
前記ユーザ端末及び前記電話機が接続されるインターフェースと
を具備し、
前記ＤＳＰは、前記設定情報を参照し、前記一般加入電話回線を使用しない場合、前記ＡＤＳＬ回線を介して接続されたＤＳＬＡＭとの間で、前記ＡＤＳＬ回線接続時にトレーニング信号のやり取りで規定して、前記一般加入電話回線の音声帯域を前記ＡＤＳＬ回線の帯域に使用する
ＡＤＳＬ装置。
【請求項８】
請求項７に記載のＡＤＳＬ装置において、
前記ＤＳＰは、前記一般加入電話を利用しない場合、前記一般加入電話回線の音声帯域を示すｂｉｎ番号１〜６を、回線接続速度を決定するためのトレーニング処理の対象とし、ｂｉｎ番号１から前記トレーニング処理を開始し、前記ｂｉｎ番号１〜６の各ｂｉｎに対し、積載可能なｂｉｔを回線状況から判断し、前記回線接続速度を決定する
ＡＤＳＬ装置。
【請求項９】
請求項７に記載のＡＤＳＬ装置において、
前記ＤＳＰは、前記ｂｉｎ番号１〜６をＡＤＳＬの下り帯域に割り当てる
ＡＤＳＬ装置。
【請求項１０】
請求項７に記載のＡＤＳＬ装置において、
前記ＤＳＰは、前記ｂｉｎ番号１〜６をＡＤＳＬの上り帯域に割り当てる
ＡＤＳＬ装置。
【請求項１１】
請求項７に記載のＡＤＳＬ装置において、
前記ＤＳＰは、前記ｂｉｎ番号１〜６をＡＤＳＬの上り帯域又は下り帯域のどちらに割り当てるかを選択し決定する
ＡＤＳＬ装置。
【発明の詳細な説明】
【技術分野】
【０００１】
本発明は、ＡＤＳＬ接続方法に関し、特に音声帯域を使用したＡＤＳＬ接続方法に関する。
【背景技術】
【０００２】
図１に示すように、従来のＡＤＳＬ（Ａｓｙｍｍｅｔｒｉｃ  Ｄｉｇｉｔａｌ  Ｓｕｂｓｃｒｉｂｅｒ  Ｌｉｎｅ）は、一般加入電話用帯域０〜２６ｋＨｚをＡＤＳＬ接続用帯域と使用せず、２６ｋＨｚ以上の帯域をＡＤＳＬ接続用帯域として使用していた。
【０００３】
これはＡＤＳＬが一般加入電話に与える影響を避けるためである。つまり一般加入電話の着発信を可能とするためである。
【０００４】
しかしながら近年、一般加入電話は通信料金が安いＶｏＩＰ（Ｖｏｉｃｅ  ｏｖｅｒ  ＩＰ）電話や携帯電話の利用で、加入数が減少している。
【０００５】
また、従来のＡＤＳＬ通信では周波数帯域を４．３１２５ｋＨｚ毎に各ｂｉｎとして規定し、変調することにより通信をしており、低周波数帯域の方が雑音に強く使用可能なｂｉｔ数が積載できると言う利点がある。
【０００６】
しかし、低周波数帯域は一般加入電話が利用するため、従来のＡＤＳＬ接続では一般加入電話用の音声帯域（０〜２６ｋＨｚ）を使用できなかった。
【０００７】
関連する技術として、特開２００４−１５７８６号公報にＡＤＳＬ通信システムが開示されている。
このＡＤＳＬ通信システムは、端末側ＡＤＳＬ通信装置とセンタ側ＡＤＳＬ通信装置とを構内電話回線で接続したＡＤＳＬ通信システムである。
前記端末側ＡＤＳＬ通信装置は、上りと下りの使用帯域周波数を調整することができるＡＤＳＬモデムと、上りと下りの使用帯域周波数に応じてフィルタ特性を切り替えられるフィルタ回路と、前記構内電話回線に接続するためのスプリッタと、全体を制御する制御部とを有する。
前記センタ側ＡＤＳＬ通信装置は、上りと下りの使用帯域周波数を調整することができるＡＤＳＬモデムと上りと下りの使用帯域周波数に応じてフィルタ特性を切り替えられるフィルタ回路とを有するＡＤＳＬモジュールと、前記構内電話回線に接続するためのスプリッタと、全体を制御する制御部とを有する。
【０００８】
また、特開２００５−１０１７８０号公報にＤＳＬ通信方法が開示されている。
このＤＳＬ通信方法は、電話使用時に電話とＤＳＬ通信との周波数帯域を分けて使用し、電話未使用時にＤＳＬ通信用の帯域を電話用の帯域まで拡張して帯域拡張ＤＳＬ通信を行うＤＳＬ通信方法である。
前記帯域拡張ＤＳＬ通信時に、加入者宅でＤＬＳ信号の送受信を行うＤＬＳ信号送受信部を電話線に直接接続してスプリッタをバイパスさせ、かつ、前記電話線と電話機との間の接続を遮断し、前記帯域拡張ＤＳＬ通信時に、電話局でＤＳＬ通信用インタフェース部を前記電話線に直接接続してスプリッタをバイパスさせ、かつ、前記電話線と交換機との間の接続を遮断することを特徴とする。
【０００９】
特開２００５−２１０５３５号公報に通信システムが開示されている。
この通信システムは、搬送周波数の帯域が互いに異なるように設定された第１および第２の信号をそれぞれ伝送するために所定の２点間に接続された通信ケーブルと、第１の信号の送信を開始する時点で第２の信号が前記通信ケーブルを伝送されているか否かを判別する第２の信号伝送有無判別手段と、この第２の信号伝送有無判別手段が第２の信号の伝送されていないことを判別したとき、この第２の信号の伝送を停止させた状態で、第１の信号の伝送を第１の信号用の搬送周波数の帯域に第２の信号用の搬送周波数の帯域を併用した形で開始する第２の信号伝送停止時第１の信号送信開始手段とを具備することを特徴とする。
【００１０】
特開２００５−２３６８１２号公報にＡＤＳＬモデム装置が開示されている。
このＡＤＳＬモデム装置は、変復調部と、モード選択部とを具備する。
変復調部は、複数の変復調方式の中から、予め指示された第１変復調方式に対応するトレーニングシーケンスを実行し、前記トレーニングシーケンスにより得られたトレーニング結果を出力する。
モード選択部は、予め設定されたモード選択条件を格納し、前記変復調部から出力された前記トレーニング結果を入力され、前記トレーニング結果と前記モード選択条件とに基づいて、第２変復調方式を選択する。
なお、前記変復調部は、前記第１変復調方式と前記モード選択部に選択された第２変復調方式とが異なる変復調方式である場合、前記第２変復調方式を用いてＡＤＳＬ通信を実行する。
【００１１】
特開２００３−８６３７号公報に帯域制御システムが開示されている。
この帯域制御システムは、加入者宅に設置される第１装置と局側に設置される第２装置とがメタル回線で接続されており、前記メタル回線上で少なくともデジタルデータ信号の伝送を行うデジタル加入者線ネットワークにおける帯域制御システムである。
一方の装置からのＡＴＭセルの受信状態を監視しその監視結果に応じて帯域変更の指示を前記一方の装置へ信号伝送で使用されていない周波数帯域を用いて行う帯域変更指示手段を他方の装置に含み、前記他方の装置からの帯域変更の指示を受取り、その指示に応じて帯域変更を行う帯域変更実行手段を前記一方の装置に含むことを特徴とする。
【００１２】
【特許文献１】特開２００４−１５７８６号公報
【特許文献２】特開２００５−１０１７８０号公報
【特許文献３】特開２００５−２１０５３５号公報
【特許文献４】特開２００５−２３６８１２号公報
【特許文献５】特開２００３−８６３７号公報
【発明の開示】
【発明が解決しようとする課題】
【００１３】
本発明の目的は、ＷＡＮインターフェースとしてＡＤＳＬ回線を使用するＡＤＳＬ装置において、一般加入電話回線を使用しない利用者の場合、一般加入電話回線の音声帯域をＡＤＳＬ帯域に使用できるよう局側と端末側でＡＤＳＬ回線接続時にＴｒａｉｎｉｎｇ信号のやり取りで規定してＡＤＳＬ回線速度の向上を図るＡＤＳＬ接続方法を提供することである。
本発明の他の目的は、ＡＤＳＬ回線契約時に加入電話を使用しない場合、モデム側の設定にて加入電話の使用有無を記憶させ、音声帯域に下りＡＤＳＬ帯域を使用できるようシーケンスを入れることでＡＤＳＬ回線の安定性と速度向上を目的とするＡＤＳＬ接続方法を提供することである。
【課題を解決するための手段】
【００１４】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。
【００１５】
本発明のＡＤＳＬ接続方法は、（ａ）ＡＤＳＬモデム（１０）が、電源起動された時又は物理的に回線接続された時に、ＤＳＬＡＭ（５０）との間でＡＤＳＬ接続動作を開始するステップと、（ｂ）ＡＤＳＬ接続開始時のハンドシェークの際、前記ＡＤＳＬモデム（１０）内部のメモリーにて記憶された設定情報に基づいて、前記一般加入電話の利用の可否を判断し、一般加入電話利用しない場合、ｂｉｎ番号１〜６を、回線接続速度を決定するためのトレーニング処理の対象とし、ｂｉｎ番号１から前記トレーニング処理を開始するステップと、（ｃ）前記トレーニング処理にて、前記ｂｉｎ番号１〜６の各ｂｉｎに対し、積載可能なｂｉｔを回線状況から判断し、前記ＡＤＳＬモデム（１０）内部のＤＳＰで演算処理を行い、前記回線接続速度を決定するステップとを具備する。
【００１６】
本発明のＡＤＳＬ接続方法は、（ｄ）前記ｂｉｎ番号１〜６をＡＤＳＬの下り帯域に割り当てるステップを更に具備する。
【００１７】
本発明のＡＤＳＬ接続方法は、（ｅ）前記ｂｉｎ番号１〜６をＡＤＳＬの上り帯域に割り当てるステップを更に具備する。
【００１８】
本発明のＡＤＳＬ接続方法は、（ｆ）前記ｂｉｎ番号１〜６をＡＤＳＬの上り帯域又は下り帯域のどちらに割り当てるかを選択するステップを更に具備する。
【００１９】
本発明の他のＡＤＳＬ接続方法は、ＡＤＳＬ回線を使用するＡＤＳＬ装置（１０）において、一般加入電話回線を使用しない場合、前記ＡＤＳＬ装置（１０）とＤＳＬＡＭ（５０）との間で前記ＡＤＳＬ回線接続時にトレーニング信号のやり取りで規定して、前記一般加入電話回線の音声帯域を前記ＡＤＳＬ回線の帯域に使用する。
【００２０】
本発明のプログラムは、上記のいずれかのＡＤＳＬ接続方法を、コンピュータに実行させる。
【００２１】
本発明のＡＤＳＬ装置（１０）は、ＡＤＳＬ回線（４０）を使用する。また、アナログ／デジタル変換を担当するＡＦＥ（Ａｎａｌｏｇ  Ｆｒｏｎｔ  Ｅｎｄ）（１１）と、デジタルデータをアナログ信号として送出するための演算処理を担当するＤＳＰ（Ｄｉｇｉｔａｌ  Ｓｉｇｎａｌ  Ｐｒｏｃｅｓｓｏｒ）（１２）と、前記ＡＤＳＬ回線（４０）の接続情報、及び一般加入電話回線を使用する／しないの設定情報を記憶するメモリー（１３）と、ユーザ端末（２０）と前記ＤＳＰ（１２）のデータ変換をするネットワーク回路ブロック（１４）と、電話機（３０）と前記ＤＳＰ（１２）とのデータ変換をするＶｏＩＰ回路ブロック（１５）と、前記ユーザ端末（２０）及び前記電話機（３０）が接続されるインターフェース（１６）とを具備する。
前記ＤＳＰ（１２）は、前記設定情報を参照し、前記一般加入電話回線を使用しない場合、前記ＡＤＳＬ回線（４０）を介して接続されたＤＳＬＡＭ（５０）との間で、前記ＡＤＳＬ回線（４０）の接続時にトレーニング信号のやり取りで規定して、前記一般加入電話回線の音声帯域を前記ＡＤＳＬ回線（４０）の帯域に使用する。
【００２２】
前記ＤＳＰ（１２）は、前記一般加入電話を利用しない場合、前記一般加入電話回線の音声帯域を示すｂｉｎ番号１〜６を、回線接続速度を決定するためのトレーニング処理の対象とし、ｂｉｎ番号１から前記トレーニング処理を開始し、前記ｂｉｎ番号１〜６の各ｂｉｎに対し、積載可能なｂｉｔを回線状況から判断し、前記回線接続速度を決定する。
【００２３】
前記ＤＳＰ（１２）は、前記ｂｉｎ番号１〜６をＡＤＳＬの下り帯域に割り当てる。又は、前記ＤＳＰ（１２）は、前記ｂｉｎ番号１〜６をＡＤＳＬの上り帯域に割り当てる。又は、前記ＤＳＰ（１２）は、前記ｂｉｎ番号１〜６をＡＤＳＬの上り帯域又は下り帯域のどちらに割り当てるかを選択し決定する。
【発明の効果】
【００２４】
ＡＤＳＬ装置において、ノイズに強く安定性の高い低周波数帯の音声帯域を使用することにより、ＡＤＳＬ回線の安定性の確保とＡＤＳＬの接続速度向上が可能となる。
速度向上は最大３６０ｋｂｐｓの効果が見込める。
【発明を実施するための最良の形態】
【００２５】
以下に本発明の第１実施形態について添付図面を参照して説明する。
図２に示すように、本発明によるＡＤＳＬモデム１０は、例えば、ユーザ宅内で使用される端末である。
ＡＤＳＬモデム１０の端末内部は、ＡＦＥ（Ａｎａｌｏｇ  Ｆｒｏｎｔ  Ｅｎｄ）１１と、ＤＳＰ（Ｄｉｇｉｔａｌ  Ｓｉｇｎａｌ  Ｐｒｏｃｅｓｓｏｒ）１２と、メモリー１３と、ネットワーク回路ブロック１４と、ＶｏＩＰ回路ブロック１５と、インターフェース１６を備える。
【００２６】
ＡＦＥ１１は、アナログ／デジタル変換を担当している。ＤＳＰ１２は、ディジタル・データをアナログ信号として送出するための演算処理を担当している。メモリー１３は、接続情報及び端末ＰＣ２０より一般加入電話を使用する／しないの設定情報を記憶する。ネットワーク回路ブロック１４は、ユーザ端末とＤＳＰ１２のデータ変換をする。ＶｏＩＰ回路ブロック１５は、電話機３０とＤＳＰとのデータ変換をしている。インターフェース１６は、少なくとも1つ存在し、ユーザが使用する端末ＰＣ２０や電話機３０、回線４０が接続される。回線４０は、ＡＤＳＬ回線であり、電話通信網やインターネットを始めとする電気通信回線である。なお、有線、無線は問わない。
【００２７】
また、ＡＤＳＬモデム１０は、回線４０を介して、ＤＳＬＡＭ（Ｄｉｇｉｔａｌ  Ｓｕｂｓｃｒｉｂｅｒ  Ｌｉｎｅ  Ａｃｃｅｓｓ  Ｍｕｌｔｉｐｌｅｘｅｒ）１０と接続されている。ＤＳＬＡＭ５０は、ＡＤＳＬ回線終端装置としての局舎側システムである。
【００２８】
ユーザは端末ＰＣを使用してＡＤＳＬモデム１０に、一般加入者電話を使用する／しないの設定を行う。一般加入者電話を使用しない場合、メモリー１３にてその情報は記憶され、ＡＤＳＬ接続時のシーケンスでｂｉｎ１〜６を使用する側に切り替わる。
【００２９】
これにより、従来、ＡＤＳＬモデム１０とＤＳＬＡＭ５０間での接続時のトレーニング（Ｔｒａｉｎｉｎｇ）処理においてｂｉｎ番号７以降からトレーニング処理の対象としていたが、図３に示すように０〜２６ｋＨｚの音声帯域が、ＡＤＳＬ接続用帯域に振り分けられｂｉｎ番号１からトレーニング処理を開始し、ＡＤＳＬ回線速度の向上が図られる。
【００３０】
本実施形態について図面を参照して詳細に説明する。
図２の構成図にて、本発明の形態としての音声帯域を使用したＡＤＳＬ接続方法を示す。
ＡＤＳＬモデム１０は、電話局に設置されたＤＳＬＡＭ５０とＡＤＳＬ接続を行い、ＡＤＳＬリンクを張り、ユーザ端末から、若しくは回線４０からの信号の変復調を行いインターネットを実現している。ＤＳＬＡＭ５０は、電話局に配置されアナログ信号とデジタル信号の変復調をすると共にインターネットとの橋渡しを行う多重収容装置である。
【００３１】
ユーザは、ＡＤＳＬ接続する前に端末ＰＣ２０を使用してＡＤＳＬモデム１０に対し、一般加入電話を使用する／しないの設定を行い、その情報はＡＤＳＬモデム１０内部のメモリー１３にて記憶される。
【００３２】
ＡＤＳＬモデム１０は電源起動時若しくは物理的に回線接続された時にＤＳＬＡＭ５０との間でＡＤＳＬ接続動作を開始する。
【００３３】
接続手順として、ＡＤＳＬモデム１０は、ＡＤＳＬ接続開始時のハンドシェークを行った後、速度を決定するためのトレーニング処理を行う。トレーニング処理では４．３１２５ｋＨｚ毎に細分された各ｂｉｎに対し、積載可能なｂｉｔを回線状況（ノイズなど）から判断し、ＤＳＰ１２内部で演算処理を行い、回線接続速度を決定する。従来、一般加入電話利用のためにｂｉｎ番号７から（２６ｋＨｚ以上から）トレーニング処理を開始していたが、本発明ではメモリー１３にて記憶された一般加入電話利用情報の可否もハンドシェーク時に実施することにより、もし一般加入電話利用しない場合においては、２６ｋＨｚ以下のｂｉｎ番号１〜６をトレーニングの対象とすることを可能とし、ｂｉｎ番号１からトレーニング処理を開始する。また、本発明ではトレーニング処理により積載可能となったｂｉｎ番号１〜６のｂｉｔはＡＤＳＬの下りの速度に使用する。なお、下りとは、ダウンロードを示す。同様に、上りとは、アップロードを示す。
【００３４】
図４にＡＤＳＬ接続シーケンスを示す。これは、ＡＤＳＬモデム１０とＤＳＬＡＭ５０間との接続のやり取りを示した図である。
（１）ステップＳ１０１
ＡＤＳＬモデム１０とＤＳＬＡＭ５０間の物理的接続を行う。これは、ＡＤＳＬモデム１０とＤＳＬＡＭ５０間の回線４０が電気的に接続されたことを示す。
（２）ステップＳ１０２
物理的接続が確認された後、ＡＤＳＬモデム１０とＤＳＬＡＭ５０間でハンドシェークを開始する。ハンドシェークでは、ＡＤＳＬモデム１０とＤＳＬＡＭ５０間で互換性があるかの接続可否の判断をする。
（３）ステップＳ１０３
互換性に問題なければ、更に、ハンドシェーク時にＡＤＳＬモデム１０とＤＳＬＡＭ５０の間で一般加入電話の利用の可否を整合しておく。
（４）ステップＳ１０４
一般加入電話利用しない場合はｂｉｎ１〜６を使用可能と判断し、トレーニング処理を開始する。トレーニングは１回の変調処理でそれぞれのｂｉｎに載せるｂｉｔ数を割り付けする処理である。回線状況に応じてｂｉｎに積載できるｂｉｔ数が決まる。変調回数，ｂｉｎ数，ｂｉｔ数が決まれば，積算することで「リンク速度」が決まる。
ここでは、ｂｉｎ番号１の積載可能ｂｉｔ数ｘ（１）個の割り付けを行う。
（５）ステップＳ１０５
同様にしてｂｉｎ番号２５５までの積載可能ｂｉｔ数ｘ（２５５）個のｂｉｔ割り付け処理をする。ここでは、Ｇ．９９２．１  Ｇ．ｄｍｔの場合を示す。１．１ＭＨｚ帯＝ｂｉｎ番号２５５までの使用となっている。
（６）ステップＳ１０６
一般加入電話利用する場合はｂｉｎ１〜６を使用不可と判断し、ｂｉｎ７〜ｂｉｎ２５５のトレーニング処理を開始する。
（７）ステップＳ１０７
従来のＡＤＳＬ接続のトレーニング処理でｂｉｎ番号７からｂｉｎ番号２５５までの積載可能ｂｉｔ数のｂｉｔ割り付け処理をする。ここでは下り速度にｂｉｎ番号３２〜２５５までを割り当て、上り速度にｂｉｎ番号７〜３１を割り当てる。
（８）ステップＳ１０８
積載可能ｂｉｔ数のｂｉｔ割り付け処理の後、リンク速度（ＡＤＳＬ下り速度／上り速度）の決定をする。本発明ではｂｉｎ番号１〜６は下り速度に割り当てるため、下り速度にｂｉｎ番号１〜６とｂｉｎ番号３２〜２５５までを割り当て、上り速度にｂｉｎ番号７〜３１までを割り当てＤＳＰ１２で演算処理を行いリンク速度決定をする。ここでは、ハンドシェークの情報（一般加入電話利用の可否）を基に、下りで割り当てるｂｉｎ番号、上りで割り当てるｂｉｎ番号を判断し、速度決定の処理を行うものとする。
（９）ステップＳ１０９
速度決定した後、トレーニング処理が完了となり、ユーザがＡＤＳＬ回線を使用したインターネットなどの利用が可能となる。
【００３５】
これにより、本発明においては、次のような効果を奏する。
まず、ＡＤＳＬ装置において、ノイズに強く安定性の高い低周波数帯の音声帯域を使用することにより、ＡＤＳＬ回線の安定性の確保とＡＤＳＬの接続速度向上が可能となる。
【００３６】
また、図５に示すように、
速度効果＝（積載ｂｉｔ数）×（ｂｉｎ数）×（１秒当たりの変調回数）
＝（１５ヶ）×（６本）×（４０００回）
＝３６０ｋｂｐｓ
となるため、速度向上は最大３６０ｋｂｐｓの効果が見込める。
【００３７】
以下に本発明の第２実施形態について添付図面を参照して説明する。
本発明の第２実施形態では、図６に示すように、ｂｉｎ１〜６（０〜２６ｋＨｚ）を上り帯域に割り当てる。
【００３８】
図４での接続シーケンス中、ステップＳ１０８でのリンク速度決定時において、ｂｉｎ番号１〜６は上り速度に割り当て、下り速度にｂｉｎ番号３２〜２５５までを割り当て、上り速度にｂｉｎ番号１〜３１までを割り当てＤＳＰ１２で演算処理を行いリンク速度決定をする。
【００３９】
以下に本発明の第３実施形態について添付図面を参照して説明する。
本発明の第３実施形態では、ｂｉｎ１〜６を使用可否の選択と合わせ、ｂｉｎ１〜６を「上り／下り」のどちらに割り当てるか選択・決定可能とする。
【００４０】
ユーザはＡＤＳＬ接続する前に端末ＰＣ２０を使用してＡＤＳＬモデム１０に対し、一般加入電話を使用する／しないの設定及びｂｉｎ１〜６を上り／下りのどちらに割り当てるかの設定を行い、その情報はＡＤＳＬモデム１０内部のメモリー１３にて記憶される。
【００４１】
図７に、ｂｉｎ１〜６使用選択時の接続処理シーケンスを示す。なお、ｂｉｎ番号２５５はＧ．９９２．１  Ｇ．ｄｍｔの場合である。
（１）ステップＳ２０１
ＡＤＳＬモデム１０とＤＳＬＡＭ５０間の物理的接続を行う。ＡＤＳＬモデム１０とＤＳＬＡＭ５０間の回線４０が電気的に接続されたことを示す。
（２）ステップＳ２０２
物理的接続が確認された後、ＡＤＳＬモデム１０とＤＳＬＡＭ５０間でＳ１２ハンドシェークを開始する。ハンドシェークはＡＤＳＬモデム１０とＤＳＬＡＭ５０間で互換性があるかの接続可否の判断をする。互換性に問題なければ次の接続手順（ステップＳ２０３）に移行する。
（３）ステップＳ２０３
互換性があるかの接続可否の判断と共に、ＡＤＳＬモデム１０内のメモリー１３に設定された一般加入電話の利用可否の情報もＡＤＳＬモデム１０とＤＳＬＡＭ５０の間で整合しておく。
（４）ステップＳ２０４
一般加入電話利用する場合はｂｉｎ１〜６を使用不可と判断し、ｂｉｎ７〜ｂｉｎ２５５のトレーニング処理を開始する。まず、ｂｉｎ番号７の積載可能ｂｉｔ数ｘ（７）個の割り付けを行う。
（５）ステップＳ２０５
同様にｂｉｎ番号２５５までの積載可能ｂｉｔ数のｂｉｔ割り付け処理をする。ここでは下り速度にｂｉｎ番号３２〜２５５までを割り当て、上り速度にｂｉｎ番号７〜３１を割り当てる。
（６）ステップＳ２０６
積載可能ｂｉｔ数のｂｉｔ割り付け処理の後、リンク速度（ＡＤＳＬ下り速度／上り速度）の決定をする。
（７）ステップＳ２０７
また、ハンドシェーク時の一般加入電話の利用可否に伴い、一般加入電話利用しない場合はｂｉｎ１〜６を使用可能と判断する。そして、使用可能なｂｉｎ１〜６を上り／下りどちらに割り当てるかの選択をする。例えば、メモリー１３に記憶された設定情報を読み出すことにより上り／下りの選択を行う。
（８）ステップＳ２０８
ｂｉｎ１〜６を上りに割り当てる場合には、ｂｉｎ番号１からｂｉｎ番号２５５までのトレーニング処理を行う。この時、上り速度はｂｉｎ番号１〜３１の積載可能ｂｉｔから、下りはｂｉｎ番号３２〜２５５の積載可能ｂｉｔからＤＳＰ１２で演算処理を行い、上り／下りのリンク速度決定する。
ここでは、ｂｉｎ番号１の積載可能ｂｉｔ数ｘ（１）個の割り付けを行う。
（９）ステップＳ２０９
同様にしてｂｉｎ番号２５５までの積載可能ｂｉｔ数ｘ（２５５）個のｂｉｔ割り付け処理をする。
（１０）ステップＳ２１０
積載可能ｂｉｔ数のｂｉｔ割り付け処理の後、リンク速度（ＡＤＳＬ下り速度／上り速度）の決定をする。
（１１）ステップＳ２１１
また、ｂｉｎ１〜６を下りに割り当てる場合には、ｂｉｎ番号１からｂｉｎ番号２５５までのトレーニング処理を行う。この時、、上り速度はｂｉｎ番号７〜３２の積載可能ｂｉｔから、下りはｂｉｎ番号１〜６，ｂｉｎ番号３２〜２５５の積載可能ｂｉｔからＤＳＰ１２で演算処理を行い、上り／下りのリンク速度決定をする。
ここでは、ｂｉｎ番号１の積載可能ｂｉｔ数ｘ（１）個の割り付けを行う。
（１２）ステップＳ２１２
同様にしてｂｉｎ番号２５５までの積載可能ｂｉｔ数ｘ（２５５）個のｂｉｔ割り付け処理をする。
（１３）ステップＳ２１３
積載可能ｂｉｔ数のｂｉｔ割り付け処理の後、リンク速度（ＡＤＳＬ下り速度／上り速度）の決定をする。
（１４）ステップＳ２１４
速度決定した後、トレーニング処理が完了となり、ユーザがＡＤＳＬ回線を使用したインターネットなどの利用が可能となる。
【００４２】
なお、上記の説明における各処理の動作を諸般のコンピュータに実行させるためにプログラムを用いても良い。
【００４３】
以上のように、本発明はＷＡＮインターフェースとしてＡＤＳＬ回線を使用するＡＤＳＬ装置において、一般加入電話回線を使用しない利用者の場合、音声帯域に下りＡＤＳＬ帯域を使用できるよう局側と端末側でＡＤＳＬ回線接続時にＴｒａｉｎｉｎｇ信号のやり取りで規定してＡＤＳＬ回線速度の向上を図る。
【００４４】
本発明によるＡＤＳＬモデムは、ユーザ宅内で使用される端末であり、端末内部はアナログ／デジタル変換を担当しているＡＦＥ（Ａｎａｌｏｇ  Ｆｒｏｎｔ  Ｅｎｄ）、ディジタル・データをアナログ信号として送出するための演算処理を担当しているＤＳＰ（Ｄｉｇｉｔａｌ  Ｓｉｇｎａｌ  Ｐｒｏｃｅｓｓｏｒ）、接続情報及び端末ＰＣより一般加入電話を使用する／しないの設定情報を記憶するメモリー、ユーザ端末とＤＳＰのデータ変換をするネットワーク回路ブロック、電話機とＤＳＰとのデータ変換をしているＶｏＩＰ回路ブロックで構成され、ユーザが使用するＰＣや電話機が接続されるインターフェースを有する。
【００４５】
ユーザは端末ＰＣを使用してＡＤＳＬモデムに、一般加入者電話を使用する／しないの設定を行う。一般加入者電話を使用しない場合、メモリーにてその情報は記憶され、ＡＤＳＬ接続時のシーケンスでｂｉｎ１〜６を使用する側に切り替わる。
【図面の簡単な説明】
【００４６】
【図１】図１は、従来のＡＤＳＬ接続におけるＡＤＳＬ接続用帯域を示す図である。
【図２】図２は、ｂｉｎ１〜６使用選択可能なＡＤＳＬモデムを示すブロック図である。
【図３】図３は、２６ｋＨｚ以下をＡＤＳＬ接続用帯域の下りに割り当てる場合のＡＤＳＬ接続用帯域を示す図である。
【図４】図４は、ｂｉｎ１〜６使用選択時の接続処理を示す第１のフローチャートである。
【図５】図５は、回線接続速度向上の最大効果を示す図である。
【図６】図６は、２６ｋＨｚ以下をＡＤＳＬ接続用帯域の上りに割り当てる場合のＡＤＳＬ接続用帯域を示す図である。
【図７】図７は、ｂｉｎ１〜６使用選択時の接続処理を示す第２のフローチャートである。
【符号の説明】
【００４７】
１０…  ＡＤＳＬモデム
１１…  ＡＦＥ（Ａｎａｌｏｇ  Ｆｒｏｎｔ  Ｅｎｄ）
１２…  ＤＳＰ（Ｄｉｇｉｔａｌ  Ｓｉｇｎａｌ  Ｐｒｏｃｅｓｓｏｒ）
１３…  メモリー
１４…  ネットワーク回路ブロック
１５…  ＶｏＩＰ回路ブロック
１６…  インターフェース
２０…  ユーザ端末ＰＣ
３０…  電話機
４０…  ＡＤＳＬ回線
５０…  ＤＳＬＡＭ（Ｄｉｇｉｔａｌ  Ｓｕｂｓｃｒｉｂｅｒ  Ｌｉｎｅ  Ａｃｃｅｓｓ  Ｍｕｌｔｉｐｌｅｘｅｒ）
【図１】
2007214875.tif 000003
【図２】
2007214875.tif 000004
【図３】
2007214875.tif 000005
【図４】
2007214875.tif 000006
【図５】
2007214875.tif 000007
【図６】
2007214875.tif 000008
【図７】
2007214875.tif 000009